(57)【要約】【課題】印刷終了後にユーザが機密動作を行うことを忘れるのを未然に防止でき、万が一忘れても次回電源立上げ時に機密動作が実行されるようにし、情報漏洩を未然に防止する。【解決手段】制御手段は、「機密を実行する」と「機密を実行しない」の指示を表示手段に表示させる。指示内容が無視された場合には、装置の次回電源立上げ時に強制的に機密動作を実行する。機密版が巻かれている場合に「機密を実行する」が選択されない場合には、次回電源立上げ時に、表示手段に機密動作を実行する選択のみを表示する。【選択図】図３
0003123602.tif 000002
【実用新案登録請求の範囲】
【請求項１】
機密動作を促す指示を行う制御手段と、前記制御手段の指示により機密動作を促す表示を行う表示手段とを有することを特徴とする孔版印刷装置。
【請求項２】
前記機密を促す指示内容が「機密を実行する」と「機密を実行しない」であって、該指示内容のうち、いずれか一方を選択可能にしたことを特徴とする請求項１記載の孔版印刷装置。
【請求項３】
前記制御手段は、前記指示内容が無視された場合には、装置の次回電源立上げ時に強制的に機密動作が実行されるように制御することを特徴とする請求項２記載の孔版印刷装置。
【請求項４】
前記制御手段は、機密版が巻かれているドラムにおいて「機密を実行する」が選択されていない場合には、ドラムに対する原版挿入時または次回電源立上げ時に、前記表示手段にワーニングメッセージを表示するとともに、機密動作を実行する選択のみを表示するように制御することを特徴とする請求項２記載の孔版印刷装置。
【考案の詳細な説明】
【技術分野】
【０００１】
本考案は、孔版印刷装置に関し、特にドラムに原版が巻付いたまま印刷動作を終了した場合に、原版の廃棄処理を促す指示を表示する機能を付加した孔版印刷装置に関する。
【背景技術】
【０００２】
孔版印刷機は、原稿読取り部により読取った原稿データより原版を製版し、この原版を印刷ドラムに取付け、このドラムを回転させつつ用紙を給紙することで、順次用紙上に原版データを転写するようにしたもので、一枚当りの印刷単価が安いため、枚数が多い場合には原稿をコピーする場合に比べて、安価に印刷できる。
【０００３】
この種の印刷機においては、印刷終了後に原版をそのままドラムに巻付けたまま電源をオフにした場合においても次回電源立上げ時において、同原版による刷り増しが可能であるため、機密保持上の不具合が生ずる。
【０００４】
そこで従来では、印刷終了後にユーザの手によって機密動作（原版廃棄）を指示することで、前記原版はドラムから剥離されて廃棄位置に廃棄されるが、ユーザが意図的に印刷を一時中断する場合もあるため、特にユーザからの指示がないと機密処理（原版廃棄動作）はおこなわれなかった。しかし、ユーザの指示忘れなども考えられ、次回電源立上げ時にドラム上に残置された版で第三者が刷り増しすることにより、容易に機密性のある文書を入手することが出来、情報漏洩につながるおそれがあった。
【０００５】
この点に関し、下記特許文献１には、機密を保持するための技術として以下の内容が開示されている。この内容は、製版終了後、機密モード設定信号に基づいて、排版部を作動させ、版胴より使用済のマスタを除去した後、プロッタを作動させることによって、版胴上に機密保持を要する新しい製版済のマスタを巻付ける動作までを実行し、以降の印刷動作（版付けを含む）を禁止するものである。
【０００６】
また、下記特許文献２には、機密保持のための他の技術が開示されている。この内容は、ホストコンピュータに設けられるプリンタドライバが、印刷条件設定画面上で、「すかし印刷」の設定項目が選択されたとき、「機密動作」を連動して選択し、印刷データとともにこの機密動作の情報を孔版印刷機に送信し、孔版印刷機は、印刷後文書の機密を保持すべく孔版原紙を廃棄するなどの機密動作を実行するものであり、遠隔地で印刷を実行した際、機密動作の設定し忘れを防止して文書の機密を保持できるとされている。
【特許文献１】特開２００５−３５０１０号公報
【特許文献２】特開２００１−２３６１９４号公報
【考案の開示】
【考案が解決しようとする課題】
【０００７】
しかしながら、前記特許文献１は、印刷後に機密設定されている場合、機密動作後に製版及び印刷を禁止するという内容である。また、前記特許文献２は、印刷後に機密設定されている場合、印刷終了後に機密動作を続けて行うという内容である。
【０００８】
このように、前記各特許文献記載の技術では、印刷終了後に機密促進ワーニングを表示して機密を促すことはできない。
【０００９】
そこで本考案は、印刷終了後にユーザが機密動作を行うことを忘れるのを未然に防止でき、万が一忘れても、次回電源立上げ時に機密動作が実行されるようにして、情報漏洩を未然に防止できるようにした孔版印刷装置を提供することを目的としている。
【課題を解決するための手段】
【００１０】
前記目的を達成するため、請求項１に記載された孔版印刷機は、機密動作を促す指示を行う制御手段と、前記制御手段の指示により機密動作を促す表示を行う表示手段とを有することを特徴とする。
なお、本考案で言う「機密動作」とは、印刷ドラム上に残置された原版をドラムから剥がして廃棄すまでの一連の動作を指すものである。
【００１１】
請求項２の考案は、請求項１において、前記機密を促す指示内容が「機密を実行する」と「機密を実行しない」であって、該指示内容のうち、いずれか一方を選択可能にしたことを特徴とするものである。
【００１２】
請求項３の考案は、請求項２において、前記制御手段が、前記指示内容が無視された場合には、装置の次回電源立上げ時に強制的に機密動作が実行されるように制御することを特徴とするものである。
なお、本考案で言う「電源立上げ時」とは電源ＯＮ時及び、時間設定によりローパー、スリーブ、シャットオフなどの省エネモードより、ウエイクアップした状態も含むものである。
【００１３】
請求項４の考案は、請求項２において、前記制御手段が、機密版が巻かれているドラムにおいて「機密を実行する」が選択されていない場合には、ドラムに対する原版挿入時または次回電源立上げ時に、前記表示手段にワーニングメッセージを表示するとともに、機密動作を実行する選択のみを表示するように制御することを特徴とするものである。
【考案の効果】
【００１４】
請求項１の態様では、ユーザが機密動作実行の有無の指定を忘れることを未然に防止できる。
【００１５】
請求項２の態様では、請求項１の作用効果に加え、機密にするか否かをユーザにより選択可能とすることができるため、印刷の一時中断後、再開する場合などに便利である。また、「機密を実行する」と「機密を実行しない」の指示内容を表示することにより、機密動作の重要性をユーザに認識させる上で好適である。
【００１６】
請求項３の態様では、指示内容がでているにもかかわらずに、指定することを忘れた場合または指示内容が無視された場合であっても、次回の電源立上げ時には機密動作が必ず実行されるため、情報秘匿上好適である。
【００１７】
請求項４の態様では、ユーザの選択によって必ず機密動作がなされる。
【考案を実施するための最良の形態】
【００１８】
以下、本考案の最良の形態につき、添付図面を参照して説明する。
図１は本考案にかかる孔版印刷装置の機能構成を示すブロック図、図２は同孔版印刷装置の具体構成を示す側断面図、図３は同装置における機密処理の手順を示すフローチャートである。
【００１９】
図１において、孔版印刷装置１は、筐体内に製版機構部２と印刷機構部３と、制御部４及び筐体の表面適宜位置に配置された表示手段としてのパネル部５とを備えている。
【００２０】
製版機構部２は、原稿読取部６、製版部７、排版部８より構成されている。印刷機構部３は、製版された孔版原紙を表面に保持するとともに内部から原紙にインクを供給するドラム部１０と、ドラム部１０に向けて印刷用紙を供給する給紙部９と、ドラム部１０との間に印刷用紙を挟み込んで送るためのプレス部１１と、プレス部１１を介して印刷された用紙を取込んで一時的にストックする排紙部１２とを備えている。
【００２１】
図２は、前記装置１の具体的構成を示すものであり、構成の概略として、前記ドラム部１０の主要構成部である版胴４６３を挟む筐体内の上半部には製版機構部２が配置され、同下半部には印刷機構部３が配置されている。
【００２２】
前記製版機構部２における原稿読取り部６は、筐体の上面にあってガイドベルト４２５により支持されて矢印Ａ方向に水平移動するラインイメージスキャナ４２７と、原稿を載置する原稿載置ガラス台４２９及びガラス台４２９上を開閉可能に覆う蓋板４３１とを有する。
【００２３】
ラインイメージスキャナ４２７はリードパルスモータ４２６によりガイドベルト４２５に案内されて駆動され、原稿載置ガラス台４２９の下方をホームポジションセンサ４２８から一定の距離を所定速度にて走査移動し、原稿画像を光学的に読取り画像信号と呼ばれる電気信号に変換する。
【００２４】
読取られた画像信号は前記制御部４内の画像処理部にて変倍処理などがなされ、この信号は製版部７へ送信される。すなわち、画像処理部はラインイメージスキャナ４２７で読取られた画像信号を感熱穿孔に適したデジタル信号に加工するとともに、制御部４のＲＯＭに格納されている１５１個の固定倍率データから１つを取出しそのデータが設定されることで変倍処理がなされる。
【００２５】
これにより、ラインイメージスキャナ４２７をリードパルスモータ４２６の駆動によりガイドベルト４２５上を速度可変させることが可能となる。
【００２６】
製版部７は連続シート状の感熱性孔版原紙Ｍをロール体で貯容した原紙ロール部４４７と、孔版原紙Ｍの搬送方向と垂直する方向に線状に配置された複数個の発熱素子４４８により構成されたサーマルプリントヘッド４４９とを有する。
【００２７】
サーマルプリントヘッド４４９に対向配置されたプラテンローラ４５１と原紙送りローラ４５３は、ライトパルスモータ４５２の駆動により感熱性孔版原紙Ｍを版胴４６３側へ搬送する。そして、画像処理部２で変倍処理などがなされた画像信号に応じてサーマルプリントヘッド４４９の発熱素子４４８が各々個別に発熱動作することにより、搬送中の感熱性孔版原紙Ｍにドットマトリックス式に感熱穿孔を行い、製版がなされる。次いでカッタ４６１により製版後の１版分の孔版原紙Ｍを切断し、原紙クランプ部４６２を介して版胴４６３に密着させ、これにより印刷準備状態となる。
【００２８】
また、排版部８は、使用済の孔版原紙Ｍをはぎ取る排版ローラ４９２と、はぎ取られた使用済の孔版原紙Ｍを収納する排版ボックス４８９とを有する。
前記印刷機構部３は、給紙部９より印刷用紙Ｐを一枚ずつ取出し、ドラム部１０と接触するプレス部１１にて孔版原紙Ｍからインキを通過させ、印刷用紙Ｐに転写することで孔版印刷を行い、排紙部１２に印刷済の印刷用紙Ｐを載置する動作を繰返す。
【００２９】
前記ドラム部１０は、外周面に設けられた原紙クランプ部４６２により一端がクランプされた孔版原紙Ｍを、自身の中心軸線周りに矢印Ｂの方向へ回転駆動される多孔構造を有するインキ通過性の版胴４６３と、版胴４６３の内周面にペースト状の孔版印刷用のエマルジョンインキ４６８を所定量供給するために、版胴４６３の内部に配置されたスキージローラ４６５及びドクターローラ４６７を含むインク供給装置４６９と、孔版印刷用エマルジョンインキ４６８を収納するインキボトル４６４とを有しており、前記プレス部１１のプレスローラ４７１が印刷用紙Ｐを版胴４６３に押付ける。
【００３０】
前記給紙部９は、印刷用紙Ｐが積載される給紙台４７３と、給紙台４７３から印刷用紙Ｐを一枚ずつ取出す給紙ローラ４７７と、印刷用紙Ｐを版胴４３６及びプレスローラ４７１の間に所定のタイミングで送り出すタイミングローラ４７９とを有する。
【００３１】
前記排紙部１２は、印刷済の印刷用紙Ｐを版胴４６３よりはぎ取る用紙剥取り爪４８１と、印刷済の印刷用紙Ｐが載置されるスタッカ部４８３と、用紙剥取り爪４８１によって版胴４６３より剥取った印刷用紙Ｐをスタッカ部４８３へ搬送するベルトコンベア式排紙搬送装置４８５とを有する。
【００３２】
以上の構成により、本装置１では、原稿を読取り、この読取りデータを元に製版された孔版原紙により所定枚数の印刷用紙に印刷がなされることになり、その印刷単価はコピー単価に比べて非常に安価にできるため、枚数が多くなるほど割安にできるものとなる。
【００３３】
また前記パネル部５は、図２の一部に拡大して示すように、その表面に電源スイッチや、枚数設定用などの各種設定用ボタンのほかに表示窓２０が形成されている。
【００３４】
この表示窓２０はタッチパネル方式のものであって、その表示機能の１つとして、印刷作業終了後に、機密処理を実行するかどうかの問い合せ表示を行い、ユーザが「実行する」、「実行しない」をその下部に表示されたボタン表示を押圧することで選択できるようにしている。
【００３５】
図３はその処理手順を示すものであり、印刷が実行され、印刷ジョブ完了後に表示窓２０に対話ボックスが開き（ステップ１〜３）、プロテクトワーニング表示として「現在のマスターを廃棄しますか」と問い合せが表示され、その下部に「実行する」、「実行しない」ボタンが表示される。
【００３６】
ユーザが「実行する」ボタンを押せば、機密処理が実行され（ステップ４，７）、印刷終了後の原版Ｍを版胴４６３からはがし、排版ボックス４８９に廃棄する。また、この廃棄動作に引続き、版胴４６３に付着したインクの乾燥を防ぐために、データーのない無垢の原版を版胴４６３に巻付け動作がなされる。
【００３７】
これに対し、ユーザが「実行しない」ボタンを押すか、いずれのボタンも押さない状態のまま電源断としたり放置すると（ステップ５、６、８）、所定時間経過後に装置がローパワー、スリーブモードまたはシャットオフ状態となる。この状態では、印刷可能な原版はそのまま版胴上に残置されたまま動作終了する（ステップ９）。
【００３８】
そして、次回電源立上げ時、この場合は電源スイッチオンか、あるいはウエイクアップ操作により装置が印刷可能状態となり（ステップ１０）、ドラム上にマスターがない場合（ステップ１１でＮＯ）と、ドラム上にマスターがあるが、機密処理されている場合（ステップ１２でＹｅｓ）には、そのまま印刷待機状態（ステップ１６）にジャンプする。
【００３９】
これに対し、ドラム上にマスターがある場合であって、機密処理がなされていない場合（ステップ１２でＮＯ）には、前記プロテクトワーニングが表示される（ステップ１３）。
【００４０】
この場合における問い合せ表示は、「現在のマスターを廃棄しますか」であるが、今度は「実行する」だけのボタン表示しかなく、しかもこの「実行する」ボタンを押さない限りは印刷待機状態とはならないため、第三者のみならず、当のユーザ自身も「実行する」を押下げて原版を廃棄する（ステップ１４，１５）しか出来ないものとなる。
【００４１】
つまり、印刷終了後はいかなる条件であっても電源断、あるいは電源はそのままであっても装置がローパワー、スリーブ、シャットオフ状態に移行した後は、再度印刷を実行する際は必ず新たなマスターを起さなければならず、これによって、データの秘匿性を確保することができるのである。同一のユーザがこのような状態下で増し刷を行う場合には、再度同一のマスター原稿をスキャンしてデータを装置内に取込ませれば良いため、手数はかかるが全く、問題はない。
【００４２】
なお、電源断あるいは低電源移行時以前の場合であって「実行しない」ボタンを押した場合に、例えば増し刷枚数指定などによって増し刷可能なプログラムを設定しておくことも可能であることは勿論である。
【図面の簡単な説明】
【００４３】
【図１】孔版印刷装置の機能構成を示すブロック図である。
【図２】同孔版印刷装置の具体構成を示す側断面図である。
【図３】同装置における機密処理の手順を示すフローチャートである。
【符号の説明】
【００４４】
１  孔版印刷装置
２  製版機構部
３  印刷機構部
４  制御部
５  表示手段としてのパネル部
２０  タッチパネル式の表示窓部
【図１】
0003123602.tif 000003
【図２】
0003123602.tif 000004
【図３】
0003123602.tif 000005